(57)【要約】      （修正有）【課題】プロセスが簡単で低コストの遠隔制御発光カーペットを提供する。【解決手段】カーペット本体１と、光を出力する枠体１１として配置され、カーペット本体の境界に沿って形成される発光体２と、枠体が発光するように制御する制御装置３と、を備える発光カーペットにおいて、制御装置は、更にスイッチ３２２が接続され、発光体と制御装置とは押圧型結線端子５によって電気的に接続される。枠体は、縁取り、バインドオフ及びかがり縫いの１種以上によって固定され、カーペットの表面に穴を開けることや発光体として固定されるランプビーズが省略される。制御装置とカーペット本体における発光体とは、押圧型結線端子によってつながれ、三者の着脱自在が達成される。【選択図】図３
0003231029.tif 000002
【実用新案登録請求の範囲】
【請求項１】
カーペット本体と、光を出力する枠体及び／又は発光領域として配置されるように、カ
ーペット本体の境界及び／又は表面層に沿って形成される発光体と、枠体を発光させるよ
うに制御する制御装置と、を備える遠隔制御発光カーペットにおいて、
前記制御装置は、更にスイッチが接続されてもよく、前記発光体と制御装置とは押圧型
結線端子によって電気的接続されることを特徴とする遠隔制御発光カーペット。
【請求項２】
前記発光体は、ＬＥＤストリング、ＥＬエレクトロルミネッセンス発光体、蛍光発光体
、夜光発光体及び光フアイバー発光体の１種以上であることを特徴とする請求項１に記載
の遠隔制御発光カーペット。
【請求項３】
前記発光体は望ましくはＬＥＤストリングであることを特徴とする請求項２に記載の遠
隔制御発光カーペット。
【請求項４】
前記ＬＥＤストリングには、点灯、点滅及びＲＧＢモードの１種以上があることを特徴
とする請求項１に記載の遠隔制御発光カーペット。
【請求項５】
製品特性を安定化させるために、前記カーペット本体と発光体との光を出力する枠体の
形成は、縁取り、かがり縫い、バインドオフ、ボタン付け、貼り付け及び鋳造の１種以上
によって達成され、製品特性を安定化させるために、前記カーペット本体とＬＥＤストリ
ングとは望ましくは枠体が縁取られることを特徴とする請求項１に記載の遠隔制御発光カ
ーペット。
【請求項６】
前記制御装置は、電源、ＰＣＢＡ集積板及びリード線を更に含むことを特徴とする請求
項１に記載の遠隔制御発光カーペット。
【請求項７】
前記制御装置におけるリード線とＬＥＤストリングにおけるカーペット本体から露出す
る延出部とは、押圧型結線端子、オスポートやメスポート、プラグコネクタ及び半田付け
の１種以上によってつながれることを特徴とする請求項１に記載の遠隔制御発光カーペッ
ト。
【請求項８】
好ましくは、前記制御装置におけるリード線とＬＥＤストリングにおけるカーペット本
体から露出する延出部とは、押圧型結線端子によってつながれることを特徴とする請求項
１に記載の遠隔制御発光カーペット。
【請求項９】
前記電源は、直流電流であり、交流電流−直流電流（ＡＣ−ＤＣ）、直流電流−交流電
流及び交流電流を使用してもよいことを特徴とする請求項１に記載の遠隔制御発光カーペ
ット。
【請求項１０】
前記ＰＣＢＡ集積板は、リモコンの信号を受信するための無線信号受信モジュールを含
むことを特徴とする請求項１に記載の遠隔制御発光カーペット。
【請求項１１】
前記無線信号受信モジュールは、赤外信号受信モジュールであり、ブルートゥース、Ｗ
ＩＦＩ、ＺｉｇＢｅｅ、３Ｇ／４Ｇ／５Ｇ等の従来又は将来の無線技術であってもよいこ
とを特徴とする請求項１に記載の遠隔制御発光カーペット。
【請求項１２】
前記制御装置に接続されるスイッチは、押圧型スイッチ、遠隔制御スイッチ、ボールス
イッチ（振動スイッチ）、感知スイッチ、音響スイッチ、マグネットスイッチ、光スイッ
チ、遅延スイッチの１種以上であることを特徴とする請求項１に記載の遠隔制御発光カー
ペット。
【請求項１３】
好ましくは、経済的でまた実用である原則を考慮すると、前記制御装置に接続されるス
イッチは押圧型スイッチであることが最も好ましく、ユーザが物を手で持ちながら部屋に
入って、リモコンがそばにない場合、足でトリガーしてオンにすることを特徴とする請求
項１に記載の遠隔制御発光カーペット。
【請求項１４】
前記リモコンは、制御装置における信号受信モジュールを遠隔制御することで、発光体
に対するスイッチングや発光モードの切り替えを達成させることができると共に、前記リ
モコンには、更に、タイミング機能があり、タイミング機能ボタンが押されると、発光カ
ーペットがタイミング状態になるように遠隔制御することができることを特徴とする請求
項１に記載の遠隔制御発光カーペット。
【請求項１５】
ユーザの要求に応じて、発声器を追加することもでき、前記発声器は望ましくは感知発
声器であることを特徴とする請求項１に記載の遠隔制御発光カーペット。
【請求項１６】
ユーザ体験を高めるために、前記発声器にデータポートが設けられ、ユーザは、カスタ
ム化の要求に応じて、データポートを介して個別化された音声データを入力することがで
きることを特徴とする請求項１５に記載の遠隔制御発光カーペット。
【請求項１７】
更に、前記内容に基づいて、遠隔制御発光カーペットはカーペットのベースに適用され
ることもでき、カーペットのベースの素材としてプラスチック材が最も好ましく、カーペ
ットのベースに発光体を配置することで、前記発光体が光を出力する枠体及び／又は発光
領域として配置されるようにカーペットのベースの境界及び／又は表面層に沿って形成さ
れ、また枠体を発光させるように制御する制御装置を配置し、前記制御装置は、更にスイ
ッチが接続されてもよく、カーペットのベースの中心領域に凹溝が設けられ、カーペット
を凹溝内に配置することで、カーペットに前記機能を持たせることも可能であることを特
徴とする請求項１〜１６の何れか１項に記載の遠隔制御発光カーペット。
【請求項１８】
例えば、請求項１〜１７の何れか１項に記載の遠隔制御発光カーペットにおいて、布製
品本体と、光を出力する枠体として配置されるように、布製品本体の境界に沿って形成さ
れる発光体と、枠体を発光させるように制御する制御装置と、を備える布製品適用の遠隔
制御発光方法において、
前記枠体は、縁取り、バインドオフ及びかがり縫いの１種以上によって固定され、ボタ
ン付け、貼り付け及び鋳造によって固定して形成されてもよく、好ましくは、発光体と布
製品本体とは光を出力する枠体が好ましくは縁取られて配置されるように形成され、光発
光領域は発光体をカーペットのサンドイッチ層に内蔵することで形成され、ユーザの要求
に応じて、無線信号受信モジュール及び発声器を更に備えてもよく、前記制御装置と発光
体とはリード線によって電気的接続され、前記制御装置における電源によってＰＣＢＡ集
積板を作動させ、ＰＣＢＡ集積板が受電した後で、発光体をオン・オフにし、前記制御装
置にスイッチを更に含み、発光体を含む布製品本体と制御装置とを快速に着脱しやすくす
るように、電気的接続としては望ましくは押圧型結線端子であり、オスポートやメスポー
ト、プラグコネクタ及び半田付け方法であってもよいことを含むことを特徴とする布製品
適用の遠隔制御発光方法。
【請求項１９】
更に、前記方法に基づいて、遠隔制御発光カーペットはカーペットのベースに適用され
ることもでき、カーペットのベースの素材としてプラスチック材が最も好ましく、カーペ
ットのベースに発光体を配置することで、前記発光体が光を出力する枠体及び／又は発光
領域として配置されるようにカーペットのベースの境界及び／又は表面層に沿って形成さ
れ、また枠体を発光させるように制御する制御装置を配置し、前記制御装置は、更にスイ
ッチが接続されてもよく、カーペットのベースの中心領域に凹溝が設けられ、カーペット
を凹溝内に配置することで、カーペットに前記機能を持たせることも可能である。
【考案の詳細な説明】
【技術分野】
【０００１】
本考案は、スマート布製品の発光・発声の分野に関し、特に、遠隔制御発光カーペット
、及び布製品適用の遠隔制御発光方法に関する。
【背景技術】
【０００２】
ユーザの生活水準の向上に伴い、部屋にカーペットを配置するユーザは益々多くなるが
、ユーザに発光可能なカーペットを提供し、更に、ユーザが入る前に、配置しておいたリ
モコンによって前もってカーペットをオンにして発光させて、ユーザの帰りを迎えること
で、一日の生活に一層趣味感やテクノロジー感を増やす。
【０００３】
しかし、発明者は、本考案を達成させる過程中に、従来の発光カーペットには、用いら
れる発光体がカーペット及び他の布製品への適用に不向きである以外、生産プロセスが複
雑であり、コストが高く、市場への普及率が低いという欠陥があることを発見した。設計
・生産の場合に、カーペットの表面に発光体及びそのランプビーズを固定するための穴を
開ける必要があり、カーペットの内部にホットメルトによって発光体及び配線を固定する
必要があり、カーペットのサンドイッチ層に発光体を保護するための防水層及び弾性層を
設ける必要があるように具体化される。このようなプロセスが複雑で、生産コストが高い
という欠陥は、大衆の日常用品としての特性に不利である。
【考案の概要】
【考案が解決しようとする課題】
【０００４】
本考案の目的は、上記技術欠陥に対して、プロセスが簡単で、コストが低いカーペット
及び他の布製品適用の遠隔制御発光装置を提供して、遠隔制御発光カーペット及び他の遠
隔制御発光布製品の普及を向上させることにある。
【課題を解決するための手段】
【０００５】
上記目的を達成させるために、本考案は、下記の技術案を採用する。
【０００６】
カーペット本体と、光を出力する枠体及び／又は発光領域として配置されるように、カ
ーペット本体の境界及び／又は表面層に沿って形成される発光体と、枠体を発光させるよ
うに制御する制御装置と、を備える遠隔制御発光カーペットにおいて、前記制御装置は、
更にスイッチが接続されてもよく、前記発光体と制御装置とは押圧型結線端子によって電
気的接続されることを特徴とする遠隔制御発光カーペットを提供する。
【０００７】
更に、前記発光体は、ＬＥＤストリング、ＥＬエレクトロルミネッセンス発光体、蛍光
発光体、夜光発光体及び光フアイバー発光体の１種以上である。
【０００８】
好ましくは、前記発光体は望ましくはＬＥＤストリングである。
【０００９】
更に、前記ＬＥＤストリングには、点灯、点滅及びＲＧＢモードの１種以上がある。
【００１０】
更に、前記カーペット本体と発光体との光を出力する枠体の形成は、縁取り、かがり縫
い、バインドオフ、ボタン付け、貼り付け及び鋳造の１種以上によって達成され、製品特
性を安定化させるために、前記カーペット本体とＬＥＤストリングとは望ましくは枠体が
縁取られる。
【００１１】
更に、前記制御装置は、電源、ＰＣＢＡ集積板及びリード線を更に含む。
【００１２】
更に、前記制御装置におけるリード線とＬＥＤストリングにおけるカーペット本体から
露出する延出部とは、押圧型結線端子、オスポートやメスポート、プラグコネクタ及び半
田付けの１種以上によってつながれる。
【００１３】
好ましくは、前記制御装置におけるリード線とＬＥＤストリングにおけるカーペット本
体から露出する延出部とは、押圧型結線端子によってつながれる。
【００１４】
更に、前記電源は、直流電流であり、交流電流−直流電流（ＡＣ−ＤＣ）、直流電流−
交流電流及び交流電流を使用してもよい。
【００１５】
更に、前記ＰＣＢＡ集積板は、リモコンの信号を受信するための無線信号受信モジュー
ルを含む。
【００１６】
更に、前記無線信号受信モジュールは、赤外信号受信モジュールであり、ブルートゥー
ス、ＷＩＦＩ、ＺｉｇＢｅｅ、無線周波、３Ｇ／４Ｇ／５Ｇ等の従来又は将来の無線技術
であってもよい。
【００１７】
更に、前記制御装置に接続されるスイッチは、押圧型スイッチ、遠隔制御スイッチ、ボ
ールスイッチ（振動スイッチ）、感知スイッチ、音響スイッチ、光スイッチ、マグネット
スイッチ、遅延スイッチの１種以上である。
【００１８】
好ましくは、経済的でまた実用である原則を考慮すると、前記制御装置に接続されるス
イッチは押圧型スイッチであることが最も好ましく、ユーザが物を手で持ちながら部屋に
入って、リモコンがそばにない場合、足でトリガーしてオンにする。
【００１９】
更に、前記リモコンは、制御装置における信号受信モジュールを遠隔制御することで、
発光体に対するスイッチングや発光モードの切り替えを達成させることができると共に、
前記リモコンには、更に、タイミング機能があり、タイミング機能ボタンが押されると、
発光カーペットがタイミング状態になるように遠隔制御することができる。
【００２０】
更に、ユーザの要求に応じて、発声器を追加することもでき、前記発声器は望ましくは
感知発声器である。
【００２１】
更に、ユーザ体験を高めるために、前記発声器にデータポートが設けられ、ユーザは、
カスタム化の要求に応じて、データポートを介して個別化された音声データを入力するこ
とができる。
【００２２】
更に、前記内容に基づいて、遠隔制御発光カーペットはカーペットのベースに適用され
ることもでき、カーペットのベースの素材としてプラスチック材が最も好ましく、カーペ
ットのベースに発光体を配置することで、前記発光体が光を出力する枠体及び／又は発光
領域として配置されるようにカーペットのベースの境界及び／又は表面層に沿って形成さ
れ、また枠体を発光させるように制御する制御装置を配置し、前記制御装置は、更にスイ
ッチが接続されてもよく、カーペットのベースの中心領域に凹溝が設けられ、カーペット
を凹溝内に配置することで、カーペットに前記機能を持たせることも可能である。
【００２３】
上記目的を達成するために、本考案の第２の態様によれば、布製品本体と、光を出力する
枠体及び／又は発光領域として配置されるように、カーペット本体の境界及び／又は表面
層に沿って形成される発光体と、枠体を発光させるように制御する制御装置と、を備える
布製品適用の遠隔制御発光方法において、前記発光体と制御装置とは押圧型結線端子によ
って電気的接続され、前記枠体は、縁取り、バインドオフ及びかがり縫いの１種以上によ
って固定され、ボタン付け、貼り付け及び鋳造によって固定して形成されてもよく、好ま
しくは、発光体と布製品本体とは光を出力する枠体が好ましくは縁取られて配置されるよ
うに形成され、前記光発光領域は発光体をカーペットのサンドイッチ層に内蔵することで
形成され、ユーザの要求に応じて、無線信号受信モジュール及び発声器を更に備えてもよ
く、前記制御装置と発光体とはリード線によって電気的接続され、前記制御装置における
電源によってＰＣＢＡ集積板を作動させ、ＰＣＢＡ集積板が受電した後で、発光体をオン
・オフにし、前記制御装置にスイッチを更に含み、発光体を含む布製品本体と制御装置と
を快速に着脱しやすくするように、電気的接続としては望ましくは押圧型結線端子であり
、オスポートやメスポート、プラグコネクタ及び半田付け方法であってもよいことを特徴
とする布製品適用の遠隔制御発光方法を提供する。
【００２４】
更に、前記方法に基づいて、遠隔制御発光カーペットはカーペットのベースに適用される
こともでき、カーペットのベースの素材としてプラスチック材が最も好ましく、カーペッ
トのベースに発光体を配置することで、前記発光体が光を出力する枠体及び／又は発光領
域として配置されるようにカーペットのベースの境界及び／又は表面層に沿って形成され
、また枠体を発光させるように制御する制御装置を配置し、前記制御装置は、更にスイッ
チが接続されてもよく、カーペットのベースの中心領域に凹溝が設けられ、カーペットを
凹溝内に配置することで、カーペットに前記機能を持たせることも可能である。
【考案の効果】
【００２５】
従来技術に比べると、本考案は、下記の点で有益である。１、発光体は、光を出力する
枠体として配置されるように、布製品本体の境界に沿って形成され、前記枠体は、縁取り
、バインドオフ及びかがり縫いの１種以上によって固定され、ボタン付け、貼り付け及び
鋳造によって固定して形成されてもよく、好ましくは、発光体と布製品本体とは光を出力
する枠体が好ましくは縁取られて配置されるように形成される。カーペットの表面に穴を
開けることや発光体として固定されるランプビーズが省略されるという点で有益である。
２、ＬＥＤストリングの配線体としては、エナメル線の形態が採用され、エナメル材自体
が防水機能を有し、カーペット本体に防水層を追加することが省略される。ＬＥＤストリ
ングのランプビーズは、３６０度方向に死角無く発光し、従来の９０度〜１８０度のラン
プの発光方向と区別され、カーペットの表面においてホットメルト等の形態によって発光
体の発光面を上方に向かせるように固定する生産工程が省略されると共に、カーペットの
表面に穴を開けることや発光体の発光面を貫通穴に挿通されるように固定する生産工程も
更に省略される。３、制御装置とカーペット本体における発光体とは、押圧型結線端子に
よってつながれ、三者の着脱自在が便利に達成される。ユーザがカーペットブランク本体
に自分のパータンをカスタム化捺染する必要がある場合、発光体を含むカーペット本体と
制御装置とを迅速に分離させてから、マシンによって発光体を含むカーペットブランク本
体に対して高温・高圧下で捺染作業を行うことができ、捺染終了後、また押圧型結線端子
によって両者を快速に一体に結合することができるという点で有益である。４、ＬＥＤス
トリングの配線体としてエナメル線が採用されるので、用いられるエナメル材が耐高温・
耐食性を有し、高温腐食環境下で溶融して配線体の間の短絡を引き起こしやすい従来のプ
ラスチック被覆線と区別される。ＬＥＤストリングを含むブランクのカーペット本体に対
して直接高温・高圧加工を行うことができ、カスタム化を要求するユーザの出荷時間が節
約されるという点で有益である。５、感知発声装置が配置され、感知発声装置にデータ転
送ポートがあり、ユーザは、カスタム化の要求に応じて、データポートを介して個別化さ
れた音声データを入力することができ、発声装置が感知されると、ユーザの予め設定され
た音声を発する。６、特に指摘すべきなのは、ユーザから受注する場合、発光体及び制御
装置を含んでいないカーペットブランク本体に対して捺染加工を行ってから、加工作業さ
れたカーペット本体に発光体及び制御装置を配置してもよいが、このように、捺染加工し
た後で更に縁取り部を縫って発光体を固定させる必要があり、出荷時間が明らかに増加す
るが、エナメル線のＬＥＤストリングを採用すれば、その採用するエナメル材が元々耐高
温の性能を有するので、ユーザがカスタマイズされた注文をする前にＬＥＤストリングを
前もってブランクのカーペット本体に固定してよいので、顧客が発注した後で、更に耐高
温のＬＥＤストリングに対して高温捺染作業を行った後で、直接押圧型結線端子によって
制御装置につながれば出荷できるようになる。
【図面の簡単な説明】
【００２６】
【図１】本考案におけるカーペット本体と発光体の分解図である。
【図２】本考案におけるカーペット本体と発光体の組合図である。
【図３】本考案の１つの分解図である。
【図４】本考案の組合図である。
【図５】本考案の主なハードウェアの作動原理のブロック図である。
【考案を実施するための形態】
【００２７】
以下、添付図面に合わせて、本考案の好ましい実施例を説明する。理解すべきなのは、
ここで説明する好ましい実施例は単に本考案を説明及び解釈するためのものであるが、本
考案を限定するものではない。
【００２８】
実施例１
【００２９】
本実施例では、カーペット本体（１）と、光を出力する枠体（１１）として配置される
ように、カーペット本体（１）の境界に沿って形成される発光体（２）と、枠体を発光さ
せるように制御する制御装置（３）と、を備え、前記制御装置は、更にスイッチ（３２２
）が接続されてもよく、前記発光体（２）と制御装置（３）とは押圧型結線端子（５）に
よって電気的に接続される遠隔制御発光カーペットが提供される。前記遠隔制御発光カー
ペットは、更に、無線信号受信モジュール（３２１）、リモコン（４）及び発声器（６）
を備えてよい。
【００３０】
発光体は、ＬＥＤストリング（２）、ＥＬエレクトロルミネッセンス発光体、蛍光発光
体、夜光発光体及び光フアイバー発光体の１種以上であり、製品の安定性や経済性のため
に、発光体は望ましくはＬＥＤストリング（２）である。
【００３１】
ＬＥＤストリング（２）の配線体（２２）としてエナメル線の形態が採用され、エナメ
ル材自体が防水機能を有し、カーペット本体（１）に防水層を追加することが省略される
。ＬＥＤストリング（２）のランプビーズ（２１）は、３６０度方向に死角無く発光し、
従来の９０度〜１８０度のランプの発光方向と区別され、カーペットの表面においてホッ
トメルト等の形態によって発光体の発光面を上方に向かせるように固定する工程が省略さ
れると共に、カーペットの表面に穴を開け及び発光体の発光面を貫通穴に挿通されるよう
に固定する生産工程も更に省略される。ＬＥＤストリング（２）のランプビーズ（２１）
は小径であり、約２.２ｍｍであるので、ランプを含むカーペット本体（１）に加工作業
を行っても破損することはなく、カーペットのサンドイッチ層における弾性保護層を選択
的に省略することができる。その同時に、ＬＥＤストリング（２）の配線体（２２）とし
てエナメル線が採用されるので、用いられるエナメル材が耐高温・耐食性を有し、高温腐
食環境下で溶融して配線体の間の短絡を引き起こしやすい従来のプラスチック被覆線と区
別されるので、ＬＥＤストリング（２）を含むブランクのカーペット本体（１）に対して
直接高温・高圧加工を行うことができ、カスタム化を要求するユーザの出荷時間が節約さ
れる。配線体（２２）の被覆色としては銅色／銀色があるが（カスタマイズ可能）、カー
ペット本体（１）の色とより良くなじむように、淡色系の銀色は最も好ましい。線径が小
さく、約０.４ｍｍであり、曲がりやすく、柔軟度が高く、任意の形状に適する。ランプ
ビーズ（２１）のピッチとしては、１０ｃｍが最も好ましい。
【００３２】
特に指摘すべきなのは、ユーザから受注する場合、発光体及び制御装置（３）を含んで
いないカーペットブランク本体に対して捺染加工を行ってから、加工作業されたカーペッ
ト本体（１）に発光体（２）及び制御装置（３）を配置するようにしてもよいが、このよ
うに、捺染加工した後で更に縁取り部（１１）を縫って発光体を固定させる必要があり、
出荷時間が明らかに増加するが、エナメル線のＬＥＤストリング（２）を採用すれば、そ
の採用するエナメル材が元々耐高温の性能を有するので、ユーザがカスタマイズされた注
文をする前にＬＥＤストリング（２）の配置作業を前もってブランクのカーペット本体（
１）に行って、顧客が発注した後で、更に耐高温のＬＥＤストリング（２）に対して高温
捺染作業を行った後で、直接押圧型結線端子（５）を介して制御装置（３）につながれば
出荷できるようになる。
【００３３】
カーペット本体（１）とＬＥＤストリング（２）との間の固定としては、縁取り部（１
１）の縫いや、かがり縫い、バインドオフの１種以上の方法によってＬＥＤストリング（
２）をカーペット本体（１）の縁部に囲ませ、前記実施例において、縁取り部（１１）の
形態を採用する。具体的な方法としては、ミシンに縁取り筒を装着すると共に、縁取り作
業を行う場合、ＬＥＤストリング（２）の一端を縁取りストリップに位置合わせて、縁取
りストリップとＬＥＤストリング（２）とがミシンにおける縁取り筒によって合わせて、
カーペット本体（１）の縁部に縁取り部（１１）を付ける。カーペットの表面にＬＥＤス
トリング（２）の光を効果的に貫通させるための孔を設けることが省略されるという点で
有益である。この方法は、取扱いやすく、専門家を必要としなく、従来技術のようにカー
ペット本体（１）の表面層に貫通穴を形成したり、カーペットのサンドイッチ層において
防水保護層及び弾性層によって発光体を保護したりすることはないと共に、接着剤で発光
体を貼り付けて固定させ、カーペット本体及び発光体に対する固定を達成させるには複数
の工程を行わなければならず、手間がかかる工程も省略される。かがり縫い及びバインド
オフは、外付けツールを利用する必要はなく、純正の対応機種のミシンによって縁取り部
の方法と同じように操作すればよいが、所要時間が長いという欠点がある。
【００３４】
ＬＥＤストリング（２）とカーペット本体（１）との固接としては、縁取り部（１１）
を縫う方法で処理し、カーペットの発光機能を増加したが、大部分のカーペット自体の加
工にもそのカーペットの縁部のバリに対して縁取り部（１１）の形成、かがり縫い又はバ
インドオフ処理を行う必要があるため、機能の増加により生産時間もそれに伴って増加す
ることはほとんどない。
【００３５】
同様に、ＬＥＤストリング（２）は、顧客の要求に応じて、任意の形状となるように、
カーペット本体の表面層の下方に配置されてもよく、採用されるＬＥＤストリング（２）
の線径／ランプビーズ（２１）が小径であり、また防水・耐圧で曲がりやすい機能を有し
、ランプビーズ（２１）がまた３６０度に発光するので、カーペットのサンドイッチ層に
防水層及び弾性保護層を設けなくてもよく、発光体のランプビーズが３６０度に発光する
ので、接着剤によって発光体をランプビーズの発光面が上向きになるように固定させる必
要もなく、９０度〜１８０度に発光するため発光面が上向きになるように固定させなけれ
ばならない従来のものと区別される。この方法で発光体を配置すれば、カーペット層同士
は縁取り、バインドオフ及びかがり縫いの１種以上によって取り囲まれてもよいし、更に
、カーペット本体の最上層とカーペット本体の最下層とが面ファスナーで処理され、又は
ファスナーでカーペット層同士を閉鎖するようにアップデートされてもよい。
【００３６】
制御装置（３）は、電源（３１）、ＰＣＢＡ集積制御板（３２）及びリード線（３４）
を更に含み、電源（３１）、ＰＣＢＡ集積制御板（３２）及びリード線（３４）の配置と
しては、２つの方法がある。その一、ＰＣＢＡ集積制御板（３２）が電源（３１）に内蔵
され、共に制御板付きの電源ボックスを構成し、リード線（３４）が電源ボックスに接続
される。その二、リード線（３４）、ＰＣＢＡ集積制御板（３２）と電源（３１）が電気
的に直列される。
【００３７】
電源（３１）は、直流電流であり、交流電流−直流電流（ＡＣ−ＤＣ）、直流電流−交
流電流及び交流電流を使用してもよく、電圧が３V〜１２Vであり、電池で給電されたり、
電源アダプタを介して商用電源を直流給電に転換したりするように設計され、給電主体が
ＵＳＢポート及び／又はＤＣプラグを介してモバイル電池、ミニ太陽電池パネル及び電源
に接続されてもよい。更に、電池ボックスによる給電については、電池ボックスに３個の
１.５Ｖの単三電池又は２個の３Ｖコイン電池が内蔵される。
【００３８】
比較的に省電力の小さいカーペットに対しては、コンパクトでカーペットを移動しやす
いので、３個の単三電池で給電することは好ましい。大きなカーペットに対しては、一般
的にリビングや寝室に配置された後でよく随意に移動されないことを考慮すると、電源ア
ダプタを介して給電することは好ましい。屋外に置かれたマットに対しては、ミニ太陽パ
ネルで給電することは好ましく、太陽パネルが日中に陽光を一日吸収すると、夜に自ら発
光カーペットに給電することができ、特に祝日の装飾に好適に用いられる。
【００３９】
ＰＣＢＡ集積制御板（３２）は、リモコンの信号を受信するための無線信号受信モジュ
ール（３２１）を含む。無線信号受信モジュール（３２１）は、赤外信号受信モジュール
であり、ブルートゥース、ＷＩＦＩ、ＺｉｇＢｅｅ、３Ｇ／４Ｇ／５Ｇ等の従来又は将来
の無線技術であってもよい。
【００４０】
制御装置に（３）接続されるスイッチ（３２２）は、押圧型スイッチ、遠隔制御スイッ
チ、ボールスイッチ（振動スイッチ）、感知スイッチ、音響スイッチ、光スイッチ、マグ
ネットスイッチ及び遅延スイッチの１種以上である。好ましくは、経済的及び実用性を考
慮すると、制御装置に接続されるスイッチは押圧型スイッチであることが最も好ましく、
ユーザが物を手で持ちながら部屋に入って、リモコンがそばにない場合、足でトリガーし
てオンにする。
【００４１】
制御装置（３）の外箱は、防水技術を採用し、具体的には、折畳型であり、上蓋と下蓋
との間にシリカゲルシールリング（３３）が設けられ、制御装置（３）から延出する引出
口がホットメルトで封止されるように設計されることで、延出したリード線（３４）を固
定することもできるし、防水の役割を果たすこともできる。
【００４２】
制御装置（３）におけるリード線（３４）とＬＥＤストリング（２）におけるカーペッ
ト本体から露出する延出部（２３）とは、押圧型結線端子（５）、オスポートやメスポー
ト、プラグコネクタ及び半田付けの１種以上によってつながれ、好ましくは、本実施例に
おいて、前記制御装置（３）におけるリード線（３４）とＬＥＤストリングにおけるカー
ペット本体から露出する延出部（２３）とは押圧型結線端子（５）によってつながれる。
【００４３】
リード線（３４）の長さは、１５ｃｍであるのが最も好ましい。
【００４４】
制御装置（３）におけるリード線（３４）とカーペット本体（１）におけるＬＥＤスト
リング（２）における延出部（２３）とは、スズ浸漬後、押圧型結線端子（５）によって
電気的に接続され、三者の着脱自在が便利に達成される。ユーザがカーペットブランク本
体に自分のパータンをカスタム化捺染する必要がある場合、ＬＥＤストリング（３）を含
むカーペット本体（１）と制御装置（２）とを迅速に分離させてから、マシンによってＬ
ＥＤストリング（２）を含むカーペットブランク本体に対して高温・高圧下で捺染作業を
行うことができ、捺染終了後、押圧型結線端子（５）を介して両者を快速に一体に結合す
ることができるという点で有益である。４、ＬＥＤストリング（２）の配線体（２２）と
してエナメル線が採用されるので、用いられるエナメル材が耐高温・耐食性を有し、高温
腐食環境下で溶融して配線体の間の短絡を引き起こしやすい従来のプラスチック被覆線と
区別される。ＬＥＤストリング（２）を含むブランクのカーペット本体に対して直接高温
・高圧加工を行うことができ、カスタム化を要求するユーザの出荷時間が節約されるとい
う点で有益である。
【００４５】
特に指摘すべきなのは、ユーザから受注する場合、発光体及び制御装置を含んでいない
カーペットブランク本体に対して捺染加工を行ってから、加工作業されたカーペット本体
（１）に発光体及び制御装置（３）を配置してもよいが、このように、捺染加工した後で
更に縁取り部（１１）を縫って発光体を固定させる必要があり、出荷時間が明らかに増加
するが、エナメル線のＬＥＤストリング（２）を採用すれば、その採用するエナメル材が
元々耐高温の性能を有するので、ユーザがカスタマイズされた注文をする前にＬＥＤスト
リング（２）の配置作業を前もってブランクのカーペット本体に行って、顧客が発注した
後で、更に耐高温のＬＥＤストリング（２）に対して高温捺染作業を行った後で、押圧型
結線端子（５）を介して制御装置（３）につながれば出荷できるようになり、いくつかの
電子商取引プラットフォームの要求するサービス項目における出荷速度に非常に有用であ
り、特に国境を越えた電子商取引プラットフォームに対しては、国外に郵送するには長い
時間を要するため、この場合、生産プロセスで時間を節約できれば、国境を越えた電子商
取引でのユーザの出荷速度に対する体験の点で非常に好適である。
【００４６】
リモコン（４）は、制御装置（３）における信号受信モジュール（３２１）を遠隔制御
することで、発光体に対するスイッチングや発光モードの切り替えを達成させることがで
き、発光モードとしては点灯、点滅及び／又はＲＧＢモードがある。点滅としては、また
、波状の変化、連続的な変化、点滅変化、ゆっくり点滅変化、明滅変化、ファンタジック
変化、早い点滅変化がある。ユーザは、異なるシーンや気持ちに応じて発光モードを切り
替えることができ、例えば、静かに勉強する場合、ゆっくり点滅に設置されてよく、祝祭
日の雰囲気を盛り上げる場合、早い点滅のリズムに設置されてよい。リモコンには、更に
、タイミング機能があり、タイミング機能ボタンが押されると、発光カーペットがタイミ
ング状態になるように遠隔制御することができ、６時間作動した後で消え、１８時間の後
でまた作動状態になるように設置され、このように循環させる。
【００４７】
ユーザの要求に応じて、当業者であれば、更に展開することができ、例えば、感知発声
装置を追加し、感知発声装置に感知領域（６１）及びデータ転送ポート（６２）があり、
ユーザは、カスタム化の要求に応じて、データポートを介して個別化された音声データを
入力することができ、発声装置が感知されると、ユーザの予め設定された音声を発する。
更に、音声を同期的に文字としてカーペットに印刷して、カーペットにおける個性的な文
字と発光体と発声装置との同期的な発光・発声を達成させることができる。
【００４８】
実施例２
【００４９】
本実施例は、前述した発光体が防水／耐高温・耐圧及び線径が細かく且つ曲がりやすい
という特徴を持つことに応じて、発光体が単独又は併せてカーペットの表面層の下に配置
されてもよく、ユーザの要求に応じて、発光体がユーザの所望の形状に配置されることが
できることに、実施例１と異なっている。
【００５０】
上記の実施例は、クッション、シャワーカーテン、カーテン、ドアカーテン、テーブル
クロス、カバン、タペストリ、家庭電器用のカバー、ブランケット、ペット用ベッド、布
製の絵、レジャーシート、寝袋、ぬいぐるみ及びヘッドボード用のカバー等の布材で作ら
れた布製品に好適に用いられ、必要に応じて、当業者により他の製品に適用されることも
できる。
【００５１】
実施例３
【００５２】
本実施例は、更に、前記実施例１及び実施例２に基づいて、カーペットのベースに適用
されることもでき、カーペットのベースの素材としてプラスチック材が最も好ましく、カ
ーペットのベースに発光体を配置することで、発光体が光を出力する枠体及び／又は発光
領域として配置されるようにカーペットのベースの境界及び／又は表面層に沿って形成さ
れ、また枠体を発光させるように制御する制御装置を配置し、制御装置は、更にスイッチ
が接続されてもよく、カーペットのベースの中心領域に凹溝が設けられ、カーペットを凹
溝内に配置することで、カーペットに前記機能を持たせることも可能であることに、実施
例１及び実施例２と異なっている。
【００５３】
説明すべきなのは、当業者が本考案に基づいて加えた改良、置換又は変化であれば、何
れも本考案の保護範囲にある。なお、本明細書にはいくつかの特定の用語が使用されるが
、これらの用語は単に説明しやすくするためのものであり、本考案を限定するものではな
い。
【符号の説明】
【００５４】
１  カーペット本体
２  ＬＥＤストリング
３  制御装置
４  リモコン
５  押圧型結線端子
６  発声器
１１  枠体
２１  ランプビーズ
２２  配線体
２３  ＬＥＤストリング延出部
３１  電源
３２  ＰＣＢＡ集積板
３３  シリカゲルシールリング
３４  リード線
６１  感知領域
６２  データポート。
３２１  信号受信モジュール
３２２  スイッチ
【図１】
0003231029.tif 000003
【図２】
0003231029.tif 000004
【図３】
0003231029.tif 000005
【図４】
0003231029.tif 000006
【図５】
0003231029.tif 000007
【手続補正書】
【提出日】令和2年12月30日(2020.12.30)
【手続補正１】
【補正対象書類名】実用新案登録請求の範囲
【補正対象項目名】全文
【補正方法】変更
【補正の内容】
【実用新案登録請求の範囲】
【請求項１】
カーペット本体と、光を出力する枠体及び／又は発光領域として配置されるように、カ
ーペット本体の境界及び／又は表面層に沿って形成される発光体と、枠体を発光させるよ
うに制御する制御装置と、を備える遠隔制御発光カーペットにおいて、
前記制御装置は、更にスイッチが接続されてもよく、前記発光体と制御装置とは押圧型
結線端子によって電気的接続されることを特徴とする遠隔制御発光カーペット。
【請求項２】
前記発光体は、ＬＥＤストリング、ＥＬエレクトロルミネッセンス発光体、蛍光発光体
、夜光発光体及び光フアイバー発光体の１種以上であることを特徴とする請求項１に記載
の遠隔制御発光カーペット。
【請求項３】
前記発光体は望ましくはＬＥＤストリングであることを特徴とする請求項２に記載の遠
隔制御発光カーペット。
【請求項４】
前記ＬＥＤストリングには、点灯、点滅及びＲＧＢモードの１種以上があることを特徴
とする請求項２に記載の遠隔制御発光カーペット。
【請求項５】
製品特性を安定化させるために、前記カーペット本体と発光体との光を出力する枠体の
形成は、縁取り、かがり縫い、バインドオフ、ボタン付け、貼り付け及び鋳造の１種以上
によって達成され、製品特性を安定化させるために、前記カーペット本体とＬＥＤストリ
ングとは望ましくは枠体が縁取られることを特徴とする請求項１に記載の遠隔制御発光カ
ーペット。
【請求項６】
前記制御装置は、電源、ＰＣＢＡ集積板及びリード線を更に含むことを特徴とする請求
項１に記載の遠隔制御発光カーペット。
【請求項７】
前記制御装置におけるリード線とＬＥＤストリングにおけるカーペット本体から露出す
る延出部とは、押圧型結線端子、オスポートやメスポート、プラグコネクタ及び半田付け
の１種以上によってつながれることを特徴とする請求項１に記載の遠隔制御発光カーペッ
ト。
【請求項８】
好ましくは、前記制御装置におけるリード線とＬＥＤストリングにおけるカーペット本
体から露出する延出部とは、押圧型結線端子によってつながれることを特徴とする請求項
１に記載の遠隔制御発光カーペット。
【請求項９】
前記電源は、直流電流であり、交流電流−直流電流（ＡＣ−ＤＣ）、直流電流−交流電
流及び交流電流を使用してもよいことを特徴とする請求項６に記載の遠隔制御発光カーペ
ット。
【請求項１０】
前記ＰＣＢＡ集積板は、リモコンの信号を受信するための無線信号受信モジュールを含
むことを特徴とする請求項６に記載の遠隔制御発光カーペット。
【請求項１１】
前記無線信号受信モジュールは、赤外信号受信モジュールであり、ブルートゥース（登
録商標）、ＷＩＦＩ、ＺｉｇＢｅｅ（登録商標）、３Ｇ／４Ｇ／５Ｇ等の従来又は将来の
無線技術であってもよいことを特徴とする請求項１０に記載の遠隔制御発光カーペット。
【請求項１２】
前記制御装置に接続されるスイッチは、押圧型スイッチ、遠隔制御スイッチ、ボールス
イッチ、感知スイッチ、音響スイッチ、マグネットスイッチ、光スイッチ、遅延スイッチ
の１種以上であることを特徴とする請求項１に記載の遠隔制御発光カーペット。
【請求項１３】
好ましくは、経済的でまた実用である原則を考慮すると、前記制御装置に接続されるス
イッチは押圧型スイッチであることが最も好ましく、ユーザが物を手で持ちながら部屋に
入って、リモコンがそばにない場合、足でトリガーしてオンにすることを特徴とする請求
項１に記載の遠隔制御発光カーペット。
【請求項１４】
前記リモコンは、制御装置における信号受信モジュールを遠隔制御することで、発光体
に対するスイッチングや発光モードの切り替えを達成させることができると共に、前記リ
モコンには、更に、タイミング機能があり、タイミング機能ボタンが押されると、発光カ
ーペットがタイミング状態になるように遠隔制御することができることを特徴とする請求
項１０に記載の遠隔制御発光カーペット。
【請求項１５】
ユーザの要求に応じて、発声器を追加することもでき、前記発声器は望ましくは感知発
声器であることを特徴とする請求項１に記載の遠隔制御発光カーペット。
【請求項１６】
ユーザ体験を高めるために、前記発声器にデータポートが設けられ、ユーザは、カスタ
ム化の要求に応じて、データポートを介して個別化された音声データを入力することがで
きることを特徴とする請求項１５に記載の遠隔制御発光カーペット。
【請求項１７】
請求項１〜１６の何れか１項に記載の遠隔制御発光カーペットであって、遠隔制御発光
カーペットはカーペットのベースに適用されることもでき、カーペットのベースの素材と
してプラスチック材が最も好ましく、カーペットのベースに発光体を配置することで、前
記発光体が光を出力する枠体及び／又は発光領域として配置されるようにカーペットのベ
ースの境界及び／又は表面層に沿って形成され、また枠体を発光させるように制御する制
御装置を配置し、前記制御装置は、更にスイッチが接続されてもよく、カーペットのベー
スの中心領域に凹溝が設けられ、カーペットを凹溝内に配置することを特徴とする請求項
１〜１６の何れか１項に記載の遠隔制御発光カーペット。
【請求項１８】
請求項１〜１７の何れか１項に記載の遠隔制御発光カーペットであって、布製品本体と
、光を出力する枠体として配置されるように、布製品本体の境界に沿って形成される発光
体と、枠体を発光させるように制御する制御装置と、を備える遠隔制御発光カーペットに
おいて、
前記枠体は、縁取り、バインドオフ及びかがり縫いの１種以上によって固定され、ボタ
ン付け、貼り付け及び鋳造によって固定して形成されてもよく、好ましくは、発光体と布
製品本体とは光を出力する枠体が好ましくは縁取られて配置されるように形成され、光発
光領域は発光体をカーペットのサンドイッチ層に内蔵することで形成され、ユーザの要求
に応じて、無線信号受信モジュール及び発声器を更に備えてもよく、前記制御装置と発光
体とはリード線によって電気的接続され、前記制御装置における電源によってＰＣＢＡ集
積板を作動させ、ＰＣＢＡ集積板が受電した後で、発光体をオン・オフにし、前記制御装
置にスイッチを更に含み、発光体を含む布製品本体と制御装置とを快速に着脱しやすくす
るように、電気的接続としては望ましくは押圧型結線端子であり、オスポートやメスポー
ト、プラグコネクタ及び半田付け方法であってもよいことを含むことを特徴とする遠隔制
御発光カーペット。
【請求項１９】
請求項１８に記載の遠隔制御発光カーペットであって、遠隔制御発光カーペットはカー
ペットのベースに適用されることもでき、カーペットのベースの素材としてプラスチック
材が最も好ましく、カーペットのベースに発光体を配置することで、前記発光体が光を出
力する枠体及び／又は発光領域として配置されるようにカーペットのベースの境界及び／
又は表面層に沿って形成され、また枠体を発光させるように制御する制御装置を配置し、
前記制御装置は、更にスイッチが接続されてもよく、カーペットのベースの中心領域に凹
溝が設けられ、カーペットを凹溝内に配置することを含むことを特徴とする請求項１８に
記載の遠隔制御発光カーペット。